(57)【要約】      （修正有）【課題】負荷電流を温度に依存して調節するための回路構成を提供すること。【解決手段】差動増幅器は、負荷電流ＩＬを温度の関数として調節するために第１および第２のトランジスタ（Ｑ１、Ｑ２）を有し、回路構成（２）は、２つのトランジスタ（Ｑ１、Ｑ２）が同じコレクタ−エミッタ電圧ＵＣＥ１、ＵＣＥ２にて、および１とは異なるコレクタ静止電流ＩＣ１、ＩＣ２の一定比率にて動作するように設計され、それにより回路構成（２）は、半導体の物理的特性によって決まる温度電圧によって制御され、負荷電流ＩＬを規定された形で温度の関数として調節する。さらに、このような回路構成（２）を備える自動車用ファン、および関連する方法に関する。【選択図】図２
2009099123.tif 000002
【特許請求の範囲】
【請求項１】
負荷（ＲＬ）を通る電流（ＩＬ）を調節するための回路構成（２、３）であって、
抵抗（ＲＳ）であって、前記抵抗を通って負荷電流（ＩＬ）が流れ、前記抵抗の両端に亘り、前記負荷電流（ＩＬ）を調節するための制御変数の働きをする電圧（ＶＳ）の降下が生じる抵抗（ＲＳ）と、
前記負荷電流（ＩＬ）を調節するためのコマンド変数の働きをする基準電圧（Ｖｒｅｆ）のためのタップ点（Ｐ）と、
制御偏差（Ｖｒｅｆ−ＶＳ）を増幅するための差動増幅器とを備える回路構成（２、３）において、
前記差動増幅器が、前記負荷電流（ＩＬ）を温度の関数として調節するために第１および第２のトランジスタ（Ｑ１、Ｑ２）を有すること、ならびに前記回路構成（２、３）が、前記２つのトランジスタ（Ｑ１、Ｑ２）が同じコレクタ−エミッタ電圧（ＵＣＥ１、ＵＣＥ２）にて、および１とは異なるコレクタ静止電流（ＩＣ１、ＩＣ２）の一定比率にて動作するように設計されることを特徴とする回路構成（２、３）。
【請求項２】
前記差動増幅器の前記２つのトランジスタ（Ｑ１、Ｑ２）が、ベース結合型またはエミッタ結合型であることを特徴とする請求項１に記載の回路構成。
【請求項３】
前記同じコレクタ−エミッタ電圧（ＵＣＥ１、ＵＣＥ２）を発生させるために、前記差動増幅器の前記２つのトランジスタ（Ｑ１、Ｑ２）が、第３および第４のトランジスタ（Ｑ３、Ｑ４）を有するカスコード構造内に組み込まれることを特徴とする請求項１または２に記載の回路構成。
【請求項４】
２つの抵抗（Ｒ、ｎ×Ｒ）を有し、その抵抗比が前記コレクタ静止電流（ＩＣ１、ＩＣ２）の一定比率を規定する請求項１乃至３のいずれか一項に記載の回路構成。
【請求項５】
前記差動増幅器の前記２つのトランジスタ（Ｑ１、Ｑ２）が、デュアルトランジスタによって形成されることを特徴とする請求項１乃至４のいずれか一項に記載の回路構成。
【請求項６】
前記回路構成（２、３）が、制御回路のための作動素子として、好ましくはパワートランジスタ（Ｍ１）である、追加トランジスタを有することを特徴とする請求項１乃至５のいずれか一項に記載の回路構成。
【請求項７】
前記差動増幅器の前記２つのトランジスタ（Ｑ１、Ｑ２）が、前記追加トランジスタ（Ｍ１）と熱的に結合されることを特徴とする請求項６に記載の回路構成。
【請求項８】
前記差動増幅器の前記２つのトランジスタ（Ｑ１、Ｑ２）が、前記負荷（ＲＬ）と熱的に結合されることを特徴とする請求項１乃至７のいずれか一項に記載の回路構成。
【請求項９】
前記差動増幅器の前記２つのトランジスタ（Ｑ１、Ｑ２）が、周囲媒体と、特に空調システムの空気流または冷却水回路の冷却流体と熱的に結合されることを特徴とする、請求項１乃至８のいずれか一項に記載の回路構成。
【請求項１０】
個別部品から構成される請求項１乃至９のいずれか一項に記載の回路構成。
【請求項１１】
前記負荷（ＲＬ）がファンモータによって形成される請求項１乃至１０のいずれか一項に記載の回路構成（２、３）を備える自動車用ファン。
【請求項１２】
負荷電流（ＩＬ）を調節するための制御変数として、前記負荷電流（ＩＬ）が流れる抵抗（ＲＳ）の両端に亘る電圧降下（ＶＳ）を用いて、ならびに前記負荷電流（ＩＬ）を調節するためのコマンド変数として基準電圧（Ｖｒｅｆ）を用いて、負荷（ＲＬ）を通る前記電流（ＩＬ）を温度に依存して調節する方法であって、制御偏差（Ｖｒｅｆ−ＶＳ）が、差動増幅器において増幅される方法において、
前記負荷電流（ＩＬ）を温度の関数として調節するために、前記差動増幅器の第１および第２のトランジスタ（Ｑ１、Ｑ２）が、同じコレクタ−エミッタ電圧（ＵＣＥ１、ＵＣＥ２）にて、および１とは異なるコレクタ静止電流（ＩＣ１、ＩＣ２）の一定比率にて動作することを特徴とする方法。
【発明の詳細な説明】
【技術分野】
【０００１】
本発明は、負荷による電流を温度に依存して調節するための回路構成であって、抵抗であって、その抵抗を通って負荷電流が流れ、その抵抗の両端に亘り、負荷電流を調節するための制御変数の働きをする電圧降下が生じる抵抗と、負荷電流を調節するためのコマンド変数の働きをする基準電圧のためのタップ点と、制御偏差を増幅するための差動増幅器とを備える回路構成に関する。本発明はさらに、そのような回路構成を備える自動車用ファンに関し、また、負荷電流を調節するための制御変数としてその負荷電流が流れる抵抗の両端の電圧降下を用いて、ならびに負荷電流を調節するためのコマンド変数として基準電圧を用いて、負荷を通る電流を温度に依存して調節するための関連方法であって、制御偏差が差動増幅器内で増幅される方法に関する。
【背景技術】
【０００２】
上述の回路構成は、一般に保護回路として用途があり、あるいは制御工学において、特に自動車用空調システムの調節において用途がある。負荷電流の温度に依存した調節は、負荷抵抗での電力消費が一定でなく、たとえば周囲温度の関数である場合に特に有益である。これはたとえば、特に、高温空気では低温空気より所与の時間および空間体積内において分子間の衝突事象が統計的に、より頻繁に存在するため、高温空気は空気分子のより高速な動きにより低温空気よりもファンモータに対してより大きな流動抵抗を生ずるので、自動車用ファンのファンモータの場合に当てはまる。電子の移動度が温度と共に低下し電気抵抗が増加する金属導電体内の電子ガスに類似して、ＨＶＡＣ（暖房、換気および空調）システム内の空気流の流動抵抗も、気体温度と共に上昇する。空気がゆっくり流れる場合は、高速の空気流速度の場合よりも、ファンモータが引き込む電流は小さくなる。したがって、多くの空調システムは、所与のモータ電圧では高温条件下より低温条件下で、より大きな電流を引き込む特性を有する。したがって、モータ電流の引き込みは、温度の上昇と共に減少する。
【０００３】
図１は、当技術分野で知られている、負荷抵抗ＲＬを通る負荷電流ＩＬを温度に依存して調節するための回路構成１を示す。この目的のために、電流源Ｉｒｅｆ（表記を簡単にするために、以下では、構成要素としての抵抗、電圧および電流源と、それらによって発生される抵抗、電圧および電流とを区別しない）は、温度センサとして働く温度依存性抵抗ＲＴに供給する。このタイプの温度依存性抵抗は通例、温度の関数として（多かれ少なかれ）非線形な特性を有する。したがって、温度依存性抵抗ＲＴの両端の電圧降下は、まず第一に線形化回路網ＬＩＮに供給される。反転入力端と出力端の間の追加の抵抗Ｒ１を有する差動増幅器として、回路内に配置された第１の演算増幅器ＯＰ１は、線形化された信号を、回路内の点Ｐ（タップ点）にて第１の演算増幅器ＯＰ１に供給される基準電圧Ｖｒｅｆから差し引く。後続する第２の演算増幅器ＯＰ２は、負荷電流ＩＬが流れるシャント抵抗ＲＳの両端の電圧降下ＶＳを、第１の演算増幅器ＯＰ１の出力電圧と比較し、作動素子として働くパワートランジスタＭ１（ＭＯＳ−ＦＥＴ）のゲートの制御電圧を絶えず補正することで、実際の電流調節を受け持つ。電圧源Ｖｂは、自動車両電子回路に関して一般的であるＶｂ＝１２Ｖの電池電圧を、回路構成１の構成要素に供給するように働く。回路構成１は、たとえば負荷としてのファンモータ上の負荷電流ＩＬを（周囲）温度の関数として線形に調節することができ、負荷電流を室温にてたとえば１０Ａとすることが可能であり、温度上昇と共に減少かつ／または温度低下と共に増加させることができる。
【０００４】
回路構成１が、自動車両用途では一般的であるように−３０℃から１５０℃の間の広い温度範囲にわたって安定に機能しなければならない場合は、中でも、温度センサＲＴ、基準源ＩｒｅｆおよびＶｒｅｆ、線形化回路網ＬＩＮ、および２つの演算増幅器ＯＰ１、ＯＰ２の精度に高い要求が課されるので、その製造における財務的費用は、かなりのものとなる。
【発明の開示】
【発明が解決しようとする課題】
【０００５】
本発明の目的は、温度の関数として、負荷を通る電流、特にファンモータを通る電流を調節するための、特に線形的に調節するための、少数の構成要素からなるコスト効率の良い回路構成を実現することである。
【課題を解決するための手段】
【０００６】
この目的は、序文で述べたタイプの回路構成によって実現され、差動増幅器は、負荷電流を温度の関数として調節するための第１および第２のトランジスタを有し、回路構成は、２つのトランジスタが、同じコレクタ−エミッタ電圧にて、および１とは異なるコレクタ静止電流の一定比率にて動作するように設計される。
【０００７】
発明者は、回路構成の、すなわちこの回路構成の個々の構成要素の、規定された温度特性によって、負荷電流を温度の関数として調節することを実施でき、それにより温度センサを不要にすることができることを見出した。この目的のために、回路構成は２つの（バイポーラ）トランジスタを有し、その半導体の物理的特性によって決まる温度電圧を、規定された形で負荷電流のための制御変数として用いることができ、負荷電流調節の温度依存性は、コレクタ電流の比を選択することによって調整することができる。この比は、調節の全温度範囲にわたって一定にすることができ、または規定可能な温度特性に従うこともできる。電流比が１の場合は、２つのトランジスタの温度電圧が負荷電流に及ぼす影響が正確に相殺されるので、負荷電流変数を温度の関数として調整するためには、１に等しくない電流比を選択することが必要である。
【０００８】
２つのコレクタ静止電流の比が一定である（かつ１に等しくない）場合は、結果として温度係数は一定であり、かつゼロと異なる、すなわち負荷電流と温度の間の線形な関係が生じる。これによって温度係数は、大きさおよび符合の両方において、互いのコレクタ電流の比の関数として規定することができる。したがって、回路構成は、低温度でより大きな電流、および温度上昇と共に小さくなる電流を可能にし、したがって負荷の温度特性に対して自己調整するように寸法設定することができ、回路の温度特性は専ら構成要素の寸法設定によって実現される。したがって、温度制御機能のためには、他の構成要素は不要である。
【０００９】
有利な実施の形態では、差動増幅器の２つのトランジスタは、ベース結合型またはエミッタ結合型である。エミッタ結合により、差動増幅器に対する高入力抵抗を実現することが可能になる。本発明による回路構成では、負荷電流が流れるシャント抵抗は通例、低抵抗であり、したがって差動増幅器にとって高入力抵抗は絶対に必要ではないので、ベース結合も可能である。
【００１０】
好ましい実施の形態では、同じコレクタ−エミッタ電圧を発生するために、差動増幅器の２つのトランジスタが、第３および第４のトランジスタを有するカスコード構造内に組み込まれる。これによって、第３または第４のトランジスタは、それぞれカスコード回路のベース結合段を形成し、第１または第２のトランジスタは、それぞれエミッタ結合段を形成する。
【００１１】
他の有利な実施の形態では、回路構成は２つの抵抗を有し、その抵抗比がコレクタ静止電流の一定比率を規定する。この目的のために、抵抗は、古典的なカレントミラー回路を形成するように２つの追加の抵抗に接続することができる。コレクタ静止電流の一定比率を生ずるためには、たとえば２つの定電流源を設けるなど、他の選択肢もあることが理解されるべきである。必要であれば、カレントミラーは、２つのトランジスタのアクティブ（エミッタ）面の適切な比を調整することによっても生成することができる。
【００１２】
特に有利な実施の形態では、差動増幅器の２つのトランジスタは、デュアルトランジスタによって形成される。デュアルトランジスタの２つのトランジスタは、互いに熱的に結合され、同じまたは非常に似た電気的パラメータを有し、これは回路構成の温度依存性を規定された形で調整するのに有益である。
【００１３】
他の有利な実施の形態では回路構成は、制御回路の作動素子として、好ましくはパワートランジスタである、追加トランジスタを有する。パワートランジスタは、たとえば自動車両内のファンモータにおいて生じるような、大電流の制御のために用いられる。パワートランジスタは好ましくはＭＯＳＦＥＴとして設計され、それによって負荷電流の調整は電圧制御的に、すなわち実質的に制御電流なしに行うことが可能である。
【００１４】
好ましい実施の形態では、差動増幅器の２つのトランジスタは、追加トランジスタと熱的に結合される。熱的結合により、差動増幅器のトランジスタと追加トランジスタは同じ温度を有し、それにより回路構成は負荷電流を追加トランジスタの温度の関数として調節し、追加トランジスタを熱的過負荷から保護する。
【００１５】
他の実施の形態では、差動増幅器の２つのトランジスタは負荷と熱的に結合され、それにより、これらは同じ温度を有するようになる。したがって、負荷電流は、負荷の温度の関数として調節され、その結果、負荷を熱的過負荷から保護することができる。
【００１６】
一実施の形態では２つのトランジスタは、周囲媒体、特に空調システムの空気流または冷却水回路の冷却流体と熱的に結合され、それにより負荷電流を周囲媒体の温度の関数として調節することができる。
【００１７】
回路構成が個別部品から構成される場合は、特に有利である。本発明による回路構成は比較的少ない構成要素を含むので、個別部品の形でコスト効率良く実施することができる。このような個別部品から構成された回路構成はロバストであり、すなわち１５０℃までの高温度で動作させることもできる。
【００１８】
本発明はさらに、上述のような回路構成を有する自動車用ファンに実施され、負荷はファンモータによって形成される。このようにして、温度の関数としての負荷電流の、所望の好ましい線形依存性を実現することができる。
【００１９】
本発明はさらに、序文で述べたタイプの、負荷を通る電流を温度に依存して調節するための方法に実施され、負荷電流を温度の関数として調節するために、差動増幅器の第１および第２のトランジスタは、同じコレクタ−エミッタ電圧にて、かつ１とは異なるコレクタ静止電流の一定比率にて動作する。
【発明の効果】
【００２０】
本発明によれば、温度の関数として、負荷を通る電流、特にファンモータを通る電流を調節するための、特に線形的に調節するための、少数の構成要素からなるコスト効率の良い回路構成を実現することができる。
【発明を実施するための最良の形態】
【００２１】
本発明による回路構成の実施の形態の例は、概略図面に表され、以下の説明で明らかになるだろう。
【００２２】
図２は、図１の負荷ＲＬを通る負荷電流ＩＬを温度に依存して調節するための回路構成２を示す。この目的のために、回路構成２は、第１のバイポーラトランジスタＱ１のベースにおいて、負荷電流ＩＬを調節するためのコマンド変数の働きをする基準電圧Ｖｒｅｆのためのタップ点Ｐを有する。必要ならば、接地電位０も基準電圧Ｖｒｅｆとして取り出すこともでき、それにより回路構成２において基準電圧源を設ける必要がなくなることを理解されたい。
【００２３】
温度依存型負荷電流調節のために回路構成２は、図１に関連して上述した、負荷電流ＩＬが流れるシャント抵抗ＲＳを有し、その両端には、負荷電流を調節するための制御変数として働き、第２のバイポーラトランジスタＱ２のベース電位となる電圧ＶＳの降下が生じる。第１および第２のトランジスタＱ１、Ｑ２はエミッタが結合され、制御偏差、すなわち基準電圧Ｖｒｅｆとシャント抵抗ＲＳの両端の電圧ＶＳとの差を増幅するための差動増幅器を形成する。２つのトランジスタＱ１、Ｑ２は、デュアルトランジスタとして設計され、したがってほとんど同一の熱的および電子回路的特性を有する。
【００２４】
アーリー効果に無関係な規定された形で負荷電流の温度制御型調節を可能にするために、第１および第２のトランジスタＱ１、Ｑ２は、同じコレクタ−エミッタ電圧、すなわち、ＵＣＥ１＝ＵＣＥ２にて動作する。これは、第１および第２のトランジスタＱ１、Ｑ２がそれぞれ、カスコード回路の第１段のエミッタ結合段を形成し、その第２段のベース結合段は、第３および第４のトランジスタＱ３，Ｑ４によって形成されることで可能となる。第３および第４のトランジスタのベースは、同じバイアス電位Ｖｂｉａｓにあるので、通常動作ではそれらのエミッタも同様に、対応して、より低い同一の電位にあり、それにより第１および第２のトランジスタＱ１、Ｑ２のコレクタも同様に同一の電位を有する。さらに、第１および第２のトランジスタＱ１、Ｑ２のエミッタは互いに接続されるので、全体として同一のコレクタ−エミッタ電圧ＵＣＥ１＝ＵＣＥ２が設定される。
【００２５】
さらに、負荷電流ＩＬの、規定された線形温度依存性を生ずるためには、差動増幅器の２つのトランジスタＱ１、Ｑ２が、それぞれのコレクタ電流ＩＣ１およびＩＣ２の一定比率で動作することが絶対に必要である。この目的のために、図２の回路構成２は、２つの追加の抵抗Ｒおよびｎ×Ｒ、および第５および第６のトランジスタＱ５、Ｑ６を備えた古典的なカレントミラーを有する。ここで第５のトランジスタＱ５のベース−コレクタ部分は、通常のカレントミラーの場合のようにシャント接続により短絡され、バイアス電流源Ｉｂｉａｓは、カレントミラーの全電流の調整を行う働きをする。パワートランジスタＭ１のゲート電圧は、第６のトランジスタＱ６のコレクタから取り出される。
【００２６】
以下では、解析により、コレクタ電流ＩＣ１とＩＣ２の所定の比と、第１および第２のトランジスタＱ１、Ｑ２の同一のコレクタ−エミッタ電位ＵＣＥ１＝ＵＣＥ２とを用いることにより、どのように負荷電流ＩＬの温度に対する所望の線形依存性が実現できるかが示される。ここで括弧内の詳細は、それぞれのトランジスタＱ１またはＱ２に関する。
【００２７】
キルヒホッフの法則により、２つのトランジスタＱ１、Ｑ２のエミッタ電位は、次式で与えられる。
【００２８】
【数１】
2009099123.tif 000003
したがって、負荷電流ＩＬに対しては、次のようになる。
【００２９】
【数２】
2009099123.tif 000004
【００３０】
トランジスタのコレクタ電流ＩＣ、ベース−エミッタ電圧ＵＢＥ、コレクタ−エミッタ電圧ＵＣＥ、アーリー電圧ＵＡ、温度電圧ＵＴ、および逆方向飽和電流ＩＳの間には、標準的な文献から知られるように以下の関係が存在する。
【００３１】
【数３】
2009099123.tif 000005
ベース−エミッタ電圧ＵＢＥについて解くと次式が得られる。
【００３２】
【数４】
2009099123.tif 000006
２つのトランジスタＱ１、Ｑ２のベース−エミッタ電圧の間に差が形成されると、上式から次式が得られる。
【００３３】
【数５】
2009099123.tif 000007
これは変形した後、以下の式となる。
【００３４】
【数６】
2009099123.tif 000008
第１および第２のトランジスタＱ１、Ｑ２として、上述のような対の特性を有するデュアルトランジスタを用いた場合は、それらの逆方向電流ＩＳは同様となり、したがって、
【００３５】
【数７】
2009099123.tif 000009
さらに、第３および第４のトランジスタＱ３，Ｑ４は、第１および第２のトランジスタＱ１、Ｑ２がほぼ同じコレクタ電位をもつように作用する。したがって、
【００３６】
【数８】
2009099123.tif 000010
したがって、式（２）は、本質的に次のように簡単になる。
【００３７】
【数９】
2009099123.tif 000011
この式を、式（１）に代入すると、負荷電流ＩＬに対して次式を得る。
【００３８】
【数１０】
2009099123.tif 000012
温度電圧ＵＴは、物理定数に元をたどることができ、温度Ｔと共に直線的に増加し、したがって、
【００３９】
【数１１】
2009099123.tif 000013
【００４０】
上記の解析で注目すべきことは、基準電圧Ｖｒｅｆ、およびカレントミラーの２つの抵抗Ｒおよびｎ×Ｒの比ｎだけが、負荷電流ＩＬの値に関係することである。バイアス電圧Ｖｂｉａｓとバイアス電流Ｉｂｉａｓの正確な値は、ここでは何の役割も果たさない。したがって、比較的少ない労力で、高い精度を実現することができる。Ｖｒｅｆに加えて、第１および第２のトランジスタＱ１、Ｑ２のペアリング許容値、およびカレントミラーの抵抗Ｒ、ｎ×Ｒ、すなわち係数ｎだけが、負荷電流ＩＬに関係する。
【００４１】
良く知られているように、高い絶対精度を有する構成要素を実装するよりも、構成要素間の正確なペアリング許容値を実現する方が本質的に簡単であり、コスト効率がより良いので、上記の回路構成２は、特に少ない構成要素のみが必要であるので、コスト効率の良い形で実施することが可能である。
【００４２】
ＩＬの温度特性は、温度電圧ＵＴに対する式（４）を、式（３）に代入することによって得られる。
【００４３】
【数１２】
2009099123.tif 000014
そして絶対温度について微分して、
【００４４】
【数１３】
2009099123.tif 000015
【００４５】
後者の式は、必要とされるような、負荷電流ＩＬと温度Ｔの間に線形な関係が存在することを示す。比ｎが１に等しくなるように選ばれると、負荷電流は温度に無関係となり、負荷を通って流れる電流が広い温度の範囲にわたって一定となるべきである場合には、有利になり得る。
【００４６】
エミッタ結合トランジスタＱ１、Ｑ２を備える差動増幅器を有する、図２に示される回路構成２に加えて、これはまた、図３に示される回路構成により以下に示されるように、ベース結合トランジスタＱ１、Ｑ２を用いて実施することができる。
【００４７】
図３の回路構成３では、カレントミラーの抵抗はまず第一に、２つのコレクタ電流ＩＣ１、ＩＣ２の一定比率を生ずるための２つの定電流源Ｉ、ｎ×Ｉによって置き換えられ、それによりバイアス電流源を不要にすることができる。図２のように、第３および第４のトランジスタＱ３、Ｑ４は、第１および第２のトランジスタＱ１、Ｑ２の同一のコレクタ−エミッタ電圧ＵＣＥ１＝ＵＣＥ２の設定を実現する働きをする。この目的のために、第１のトランジスタＱ１のベース−コレクタ部分、および第４のトランジスタＱ４のベース−コレクタ部分は、それぞれシャント接続により短絡される。４つのトランジスタＱ１からＱ４にわたるキルヒホッフによる回路網解析から、商用のバイポーラトランジスタでは約３０Ｖから１５０Ｖとなるアーリー電圧を桁数ベースで扱えば、回路構成３のすべてのベース−エミッタ電圧は、ほぼ同一となる。このことから直ちに、第１および第２のトランジスタＱ１、Ｑ２のほぼ同一のコレクタ−エミッタ電圧ＵＣＥ１＝ＵＣＥ２という必要な特性が得られる。
【００４８】
第１および第２のトランジスタＱ１、Ｑ２の共通ベース電位の解析から、負荷電流ＩＬに対して、図２の回路構成２に関して上記に示されたように、式（１）に従うので、上記でなされた解析は回路構成３にも当てはまる。したがって、図３の回路構成３での負荷電流ＩＬも、温度の関数として線形に調節することができる。
【００４９】
回路構成２、３を用いた負荷電流ＩＬの温度調節は、温度調節のために用いられる差動増幅器の２つのトランジスタＱ１、Ｑ２が、周囲媒体、特に空調システムの空気流または冷却水回路の冷却流体と熱的に結合された場合は、周囲温度の関数として行うことができる。別法または追加として、これらの構成要素の熱的過負荷を防止するために、２つのトランジスタを、負荷ＲＬまたはパワートランジスタＭ１と熱的に結合することができる。
【００５０】
図２および３に示される回路構成２、３は、確かに負荷電流ＩＬの温度Ｔに対する、ほぼ比例的または反比例的な関数的依存性を有するが、回路構成２、３を適切に変更することにより、その他のほとんどのＩＬ＝ｆ（Ｔ）の形の関数的依存性を設定することもでき、その結果、回路構成２、３は、多数の異なるタイプの負荷に適合することができることが理解されるべきである。したがって、特にその用途の範囲は、自動車用ファンにおけるファンモータの負荷電流の調節に限定されない。
【図面の簡単な説明】
【００５１】
【図１】従来技術による、負荷電流を温度に依存して調節するための回路構成の回路図である。
【図２】差動増幅器として２つのエミッタ結合トランジスタを有する、本発明による温度依存型負荷電流調節のための回路構成の第１の実施の形態を示す図である。
【図３】差動増幅器として２つのベース結合トランジスタを有する、本発明による回路構成の第２の実施の形態を示す図である。
【符号の説明】
【００５２】
１  回路構成
２  回路構成
３  回路構成
【図１】
2009099123.tif 000016
【図２】
2009099123.tif 000017
【図３】
2009099123.tif 000018
【外国語明細書】
2009099123000001.pdf
2009099123000002.pdf
2009099123000003.pdf
2009099123000004.pdf